(57)【要約】      （修正有）【課題】美的外観に優れるとともに、動き等に応じてその外観が著しく変化する時計用文字板、時計を提供すること。【解決手段】時計用文字板１Ａは、光透過性を有する材料で構成された中空基板２と、前記中空基板２の中空部２３に封入され、光透過性を有するとともに、比重が異なり、かつ、互いに溶け合わない複数の液体からなる液体層３とを備えることを特徴とする。前記複数の液体は、互いに色調の異なるものであるのが好ましい。また、前記中空基板２の前記中空部２３において、厚み方向に突出する隔壁部２４が所定パターンで設けられているのが好ましい。また、前記隔壁部２４の構成材料の屈折率と、前記中空基板２の構成材料の屈折率との差の絶対値が、０．１０以下であるのが好ましい。【選択図】図１
2008122162.tif 000002
【特許請求の範囲】
【請求項１】
光透過性を有する材料で構成された中空基板と、
前記中空基板の中空部に封入され、光透過性を有するとともに、互いに溶け合わない複数の液体からなる液体層とを備えることを特徴とする時計用文字板。
【請求項２】
前記複数の液体は、互いに比重の異なるものである請求項１に記載の時計用文字板。
【請求項３】
前記中空基板の前記中空部において、厚み方向に突出する隔壁部が所定パターンで設けられている請求項２に記載の時計用文字板。
【請求項４】
前記隔壁部の構成材料の屈折率と、前記中空基板の構成材料の屈折率との差の絶対値が、０．１０以下である請求項３に記載の時計用文字板。
【請求項５】
前記中空基板の一方の主面である第１の面が凸湾曲面である請求項２または３に記載の時計用文字板。
【請求項６】
前記中空基板の前記第１の面に対向する第２の面が湾曲面であり、該湾曲面は前記第１の面に対し等距離曲面である請求項４に記載の時計用文字板。
【請求項７】
前記複数の液体は、互いに色調の異なるものである請求項１ないし６のいずれかに記載の時計用文字板。
【請求項８】
前記中空基板の外周部付近が、光不透過性の材料で構成されたカバー部材によって被覆されている請求項１ないし７のいずれかに記載の時計用文字板。
【請求項９】
前記中空基板は、その内面に撥液処理が施されたものである請求項１ないし８のいずれかに記載の時計用文字板。
【請求項１０】
前記中空基板の前記中空部内に、前記液体層とともに、空気層を備えている請求項１ないし９のいずれかに記載の時計用文字板。
【請求項１１】
時計用文字板は、腕時計用文字板である請求項１ないし１０のいずれかに記載の時計用文字板。
【請求項１２】
請求項１ないし１１のいずれかに記載の時計用文字板を備えたことを特徴とする時計。
【請求項１３】
光透過性を有する材料で構成された中空基板と、
前記中空基板の中空部に封入され、光透過性を有するとともに、互いに溶け合わない複数の液体からなる液体層とを備えることを特徴とする時計。
【請求項１４】
前記中空基板の外周部付近が、光不透過性の材料で構成されたカバー部材によって被覆されている請求項１２または１３に記載の時計。
【請求項１５】
前記中空基板の前記中空部内に、前記液体層とともに、空気層を備えている請求項１２ないし１４のいずれかに記載の時計。
【発明の詳細な説明】
【技術分野】
【０００１】
本発明は、時計用文字板および時計に関する。
【背景技術】
【０００２】
時計、時計用文字板は、実用品としての機能が求められるとともに、装飾品としての装飾性（美的外観）が求められる。
従来、時計用文字板としては、高級感のある外観を得るために、一般に、金属材料で構成されたものが用いられてきた。そして、純金、純銀等の無垢材料では表現が困難な外観を得るために、複雑な組成を有する合金で構成された文字板を用いる試みもある（例えば、特許文献１参照）。
一方で、金属材料では表現することができなかった、使用者の動き等に応じて、その外観が著しく変化するような時計、時計用文字板が求められている。
【０００３】
【特許文献１】特開２００６−２４９５１０号公報
【発明の開示】
【発明が解決しようとする課題】
【０００４】
本発明の目的は、美的外観に優れるとともに、動き等に応じてその外観が著しく変化する時計用文字板、時計を提供することにある。
【課題を解決するための手段】
【０００５】
このような目的は、下記の本発明により達成される。
本発明の時計用文字板は、光透過性を有する材料で構成された中空基板と、
前記中空基板の中空部に封入され、光透過性を有するとともに、互いに溶け合わない複数の液体からなる液体層とを備えることを特徴とする。
これにより、美的外観に優れるとともに、動き等に応じてその外観が著しく変化する時計用文字板を提供することができる。
【０００６】
本発明の時計用文字板では、前記複数の液体は、互いに比重の異なるものであることが好ましい。
これにより、動き等に応じた外観の変化がより顕著なものとなり、特に優れた視覚的効果が得られ、美的外観は特に優れたものとなる。
本発明の時計用文字板では、前記中空基板の前記中空部において、厚み方向に突出する隔壁部が所定パターンで設けられていることが好ましい。
これにより、比重の小さい液体の移動が、時計用文字板（中空基板）の端部付近に、極端に偏り過ぎないように、液体の移動を調整することができ、時計用文字板の美的外観を特に優れたものとすることができる。
【０００７】
本発明の時計用文字板では、前記隔壁部の構成材料の屈折率と、前記中空基板の構成材料の屈折率との差の絶対値が、０．１０以下であることが好ましい。
これにより、時計用文字板を当該時計用文字板の主面方向（主面の法線方向）から見た際に、隔壁部をより目立ちにくいものとすることができ、時計用文字板の装飾性（美的外観）を特に優れたものとすることができる。
【０００８】
本発明の時計用文字板では、前記中空基板の一方の主面である第１の面が凸湾曲面であることが好ましい。
これにより、中空基板の中空部に封入された複数の液体のうち、比重の小さい液体を、時計用文字板（中空基板）の主面方向の中央部付近に集めやすくすることができる。その結果、特有なパターンで各液体を配置させることができ、特に優れた外観を得ることができる。また、時計用文字板に、水準器としての機能を持たせることもできる。
【０００９】
本発明の時計用文字板では、前記中空基板の前記第１の面に対向する第２の面が湾曲面であり、該湾曲面は前記第１の面に対し等距離曲面であることが好ましい。
これにより、中空基板の中空部に封入された複数の液体のうち、比重の小さい液体を、時計用文字板（中空基板）の主面方向の中央部付近に、特に集まりやすいものとすることができる。また、中空基板の中空部に封入される液体の量を少なくすることができるため、省資源の観点からも有利である。また、当該時計用文字板を備えた時計において、時計用文字板の下面（第２の面）側に、ムーブメント等の部材を収納する空間をより広く確保することができるため、時計の薄型化にも有利である。
【００１０】
本発明の時計用文字板では、前記複数の液体は、互いに色調の異なるものであることが好ましい。
これにより、動き等に応じてその外観が著しく変化する動的な美しさを、より効果的に表現することが可能となり、時計用文字板の装飾性（美的外観）を特に優れたものとすることができる。
【００１１】
本発明の時計用文字板では、前記中空基板の外周部付近が、光不透過性の材料で構成されたカバー部材によって被覆されていることが好ましい。
これにより、時計用文字板（中空基板）の主面の視認される領域において、色の極端な偏り等を緩和することができ、時計用文字板の装飾性（美的外観）を特に優れたものとすることができる。
【００１２】
本発明の時計用文字板では、前記中空基板は、その内面に撥液処理が施されたものであることが好ましい。
これにより、中空基板内に封入された液体により、中空基板が着色されるのを防止することができる。その結果、時計用文字板の美的外観を長期にわたって安定的に優れたものにすることができる。
【００１３】
本発明の時計用文字板では、前記中空基板の前記中空部内に、前記液体層とともに、空気層を備えていることが好ましい。
これにより、動き等に応じた外観の変化がより顕著なものとなり、特に優れた視覚的効果が得られ、美的外観は特に優れたものとなる。
本発明の時計用文字板は、腕時計用文字板であることが好ましい。
腕時計用文字板は、各種時計用文字板の中でも特に、使用時における動きが激しいものである。このため、上記のような動きによる時計用文字板の外観の変化がより顕著に現れ、本発明による効果がより顕著に発揮される。
【００１４】
本発明の時計は、本発明の時計用文字板を備えたことを特徴とする。
これにより、美的外観に優れるとともに、動き等に応じてその外観が著しく変化する時計を提供することができる。
本発明の時計は、光透過性を有する材料で構成された中空基板と、
前記中空基板の中空部に封入され、光透過性を有するとともに、互いに溶け合わない複数の液体からなる液体層とを備えることを特徴とする。
これにより、美的外観に優れるとともに、動き等に応じてその外観が著しく変化する時計を提供することができる。
【００１５】
本発明の時計では、前記中空基板の外周部付近が、光不透過性の材料で構成されたカバー部材によって被覆されていることが好ましい。
これにより、中空基板の主面の視認される領域において、色の極端な偏り等を緩和することができ、時計の装飾性（美的外観）を特に優れたものとすることができる。
本発明の時計では、前記中空基板の前記中空部内に、前記液体層とともに、空気層を備えていることが好ましい。
これにより、動き等に応じた外観の変化がより顕著なものとなり、特に優れた視覚的効果が得られ、美的外観は特に優れたものとなる。
【発明の効果】
【００１６】
本発明によれば、美的外観に優れるとともに、動き等に応じてその外観が著しく変化する時計用文字板、時計を提供することができる。
【発明を実施するための最良の形態】
【００１７】
以下、本発明の好適な実施形態について、添付図面を参照しつつ説明する。
まず、本発明の時計用文字板の好適な実施形態について説明する。
＜第１実施形態（時計用文字板）＞
図１は、本発明の時計用文字板の第１実施形態を示す断面図、図２は、図１に示す時計用文字板を傾けた状態を示す断面図である。以下の説明では、図１中の上側が、時計用文字板の使用時における観察者側であるものとして説明する。（後述する図２、図３、図４、図５、図６、図７についても同様）。以下の説明では、時計用文字板１Ａを、後述する時計１００に適用する場合について、中心的に説明する。
図１に示すように、時計用文字板１Ａは、中空基板２と、液体層３と、カバー部材５とを有している。
【００１８】
［中空基板］
中空基板２は、光透過性を有する材料で構成されている。中空基板２は、例えば、上面板２１と下面板２２とが、これらの周縁部付近において張り合わされてなり、その中心部付近が中空部２３となっている。
中空基板２の構成材料としては、例えば、各種プラスチック、各種ガラス、各種セラミックス等を用いることができるが、中空基板２はプラスチック（特に、耐熱性プラスチック）で構成されたものであるのが好ましい。これにより、例えば、一般に、比較的軽量で携帯しやすい時計用文字板１Ａを提供することができる。また、例えば、比較的容易に、所望の形状に成形することができる。また、非金属材料であるため、電波時計用文字板にも好適に適用することができる。
【００１９】
中空基板２を構成するプラスチック材料としては、各種熱可塑性樹脂、各種熱硬化性樹脂等が挙げられ、例えば、主として、ポリカーボネートおよび／またはアクリロニトリル−ブタジエン−スチレン共重合体で構成されたものであるのが好ましい。これにより、時計用文字板１Ａ全体としての強度を特に優れたものとすることができるとともに、時計用文字板１Ａ（中空基板２）の製造時における成形の自由度が増す（成形のし易さが向上する）。なお、中空基板２は、各部位でその組成が実質的に均一な組成を有するものであってもよいし、部位によって組成の異なるものであってもよい。また、中空基板２は、少なくとも一部（特に、上面板２１）が光透過性を有する材料で構成されたものであればよいが、その全体が光透過性を有する材料で構成されたものであるのが好ましい。これにより、時計用文字板１を後述するようなソーラー時計に好適に適用することができる。
【００２０】
中空基板２の色は、いかなるものであってもよく、特に限定されない。中空基板２が白色のものである場合、時計用文字板１Ａの美的外観（特に、時計１００に適用した際の美的外観）を特に優れたものとすることができ、時計用文字板１Ａ、時計１００をより優れた高級感を備えたものとすることができる。また、中空基板２が実質的に透明のもの（より具体的には、可視光領域の光の透過率が９０％以上のもの）である場合、時計用文字板１Ａとしての光の透過率をより高くすることができ、後述するような時計（ソーラー時計）１００において、太陽電池９の発電効率を特に優れたものとすることができる。
また、中空基板２の形状、大きさは、特に限定されず、通常、時計用文字板１Ａの形状、大きさに基づいて決定される。
【００２１】
中空基板２の平均厚さは、特に限定されないが、１００〜１０００μｍであるのが好ましく、２００〜８００μｍであるのがより好ましい。中空基板２の平均厚さが前記範囲内の値であると、時計用文字板１Ａの光透過性を十分に高いものとしつつ、後述するような時計１００に適用した場合において、時計用文字板１Ａを介して、太陽電池９の色等が透けて見えてしまうことをより確実に防止することができ、装飾性（美的外観）を特に優れたものとすることができる。
中空基板２は、隔壁部２４を有している。また、中空基板２は、その内面に撥液膜２５を有している。隔壁部２４、撥液膜２５については、後に詳述する。
なお、図１中には示していないが、観察者側の面である中空基板２の第１の面２６側には、例えば、時刻目盛りや装飾文字、マーク等が設けられている。
【００２２】
［液体層］
中空基板２の中空部２３には、互いに溶け合わない（相分離する）複数の液体が封入されてなる液体層３が設けられている。中空部２３内に液体層３が設けられることにより、時計用文字板１Ａの動き等に応じて、中空部２３内の液体が移動し、時計用文字板１Ａの外観が著しく変化し、優れた視覚的効果が得られ、時計用文字板１Ａの美的外観を優れたものとすることができる。
液体層３を構成する複数の液体は、互いに溶け合わないものであればよいが、互いに比重の異なるものであるのが好ましい。これにより、動き等に応じた外観の変化がより顕著なものとなり、特に優れた視覚的効果が得られ、時計用文字板１Ａの美的外観は特に優れたものとなる。
【００２３】
図１に示す例では、複数の液体として、第１液体３１と、第１液体よりも比重の小さい第２液体３２との２種類の液体が封入された場合を例に挙げて説明しているが、本発明はこれに限定されるものではなく、例えば、３種類以上の液体が封入されていてもよい。
また、液体層３を構成する液体は、光透過性を有するものであるのが好ましい。これにより、透明感のある鮮やかな外観が得られ、時計用文字板１Ａの装飾性（審美性）を特に優れたものとすることができる。また、液体層３を構成する液体が光透過性を有するものであると、時計用文字板１Ａは、外部からの電磁波（電波、光）を十分に透過させることができるものとなる。これにより、時計用文字板１Ａを、例えば、電波時計やソーラー時計（太陽電池を内蔵する時計）、ソーラー電波時計等に好適に適用することができる。
【００２４】
また、液体層３を構成する液体（第１液体３１、第２液体３２）は、他の液体と明らかに区別ができるように、互いに色調の異なるものであるのが好ましい。このように、第１液体３１と第２液体３２との色を異なるものとすることで、時計用文字板１Ａを上側から見た際に、色の重なり合いによる新たな色を発現させることができるとともに、時計用文字板１Ａを傾けた際に、それらの重なり程度が異なることによる濃淡を演出することができる。これにより、動き等に応じて、時計用文字板１Ａの色合いや模様が変化する動的な美しさを表現することが可能となる。その結果、時計用文字板１Ａの装飾性（美的外観）を特に優れたものとすることができる。
【００２５】
なお、液体層３を構成する複数の液体は、全てが有色である必要はなく、無色のものであってもよい。例えば、第１液体３１には、無色透明の液体を使用し、第２液体３２には、着色された液体を使用することができる。
液体層３を構成する液体は、例えば、着色剤等により着色されたものであってもよい。これにより、時計用文字板１Ａのデザインにおいて色の表現の幅を広げることができる。その結果、時計用文字板１Ａの装飾性（美的外観）を特に優れたものとすることができる。
着色剤としては、例えば、染料、顔料等を使用することができる。
染料としては、例えば、酸性染料、塩基性染料、直接染料、反応性染料、分散染料、食品用色素等を用いることができる。
【００２６】
このような液体の中空基板２への封入方法としては、特に限定されるものではないが、例えば中空基板２の隅部に細い流路を設け、前記液体を真空注入した後、接着、熱、紫外線硬化樹脂等で封止すると、中の液体が漏出することを、長期間にわたってより確実に防止することができる。複数の比重の異なる液体の量管理は、例えば、ディスペンサーやインクジェットで注入量を制御すること等により可能である。
また、中空基板２の中空部２３には上記のような液体層３に加えて、図示しない空気層を有していてもよい。これにより、動き等に応じた外観の変化がより顕著なものとなり、特に優れた視覚的効果が得られ、美的外観は特に優れたものとなる。
【００２７】
［隔壁部］
上述したように、本実施形態の時計用文字板１Ａにおいては、中空基板２を構成する上面板２１に、下面板２２に向けて厚み方向に所定パターンで隔壁部２４が設けられている。言い換えると、中空基板２の中空部２４において、厚み方向に突出する隔壁部２４が所定パターンで設けられている。これにより、隔壁部２４と下面板２２との間は開放部となり、中空部２４内において、後述する液体が移動できる流路となる。
【００２８】
このように隔壁部２４を有することにより、例えば、図２に示すように時計用文字板１Ａ（中空基板２）を傾けたときに、隔壁部２４により、比重の小さい液体（第２液体３２）の流動を制限することができる。具体的には、例えば時計用文字板１Ａを傾けた際に、比重の小さい液体（第２液体３２）が、中空基板２の端部付近に極端に偏り過ぎないように、液体の極端な移動を防止することができる。また、例えば液体の流れ（流れの方向）を制御することができる。これにより、動き等に応じて、時計用文字板１Ａの色合い（濃度）や模様が変化する動的な美しさを、より好適に表現することができる。その結果、時計用文字板１Ａの装飾性（美的外観）を特に優れたものとすることができる。
【００２９】
隔壁部２４の配置パターンとしては、特に限定されるものではなく、例えば、ストライプ状、格子状等にすることができる。また、その他の任意パターンでもよく、例えば放射状、渦巻等にすることもできる。これにより、液体の移動を好適に調節することができ、美的外観に優れた時計用文字板１Ａを提供することができる。
隔壁部２４は、中空基板２（上面板２１）とほぼ同一の屈折率を有する材料からなることが好ましい。より具体的には、隔壁部２４の構成材料の屈折率と、中空基板２（上面板２１）の構成材料の屈折率との差の絶対値は、０．１０以下であるのが好ましく、０．０５以下であるのがより好ましい。これにより、時計用文字板１Ａを第１の面２６側から見た際に、隔壁部２４をより目立ちにくいものとすることができ、時計用文字板１Ａの装飾性（美的外観）を特に優れたものとすることができる。
【００３０】
また、隔壁部２４は、中空基板２（上面板２１）の構成材料と同一の材料で構成されたものであるのが好ましい。これにより、時計用文字板１Ａを第１の面２６側から見た際に、隔壁部２４をより目立ちにくいものとすることができ、時計用文字板１Ａの装飾性（美的外観）をさらに優れたものとすることができる。
なお、中空基板２および隔壁部２４が同一のプラスチック材料からなる場合、成型により中空基板と隔壁部２４とを一体に形成することができるため、工程を簡略化することができるとともに、隔壁部２４を所望の形状（パターン）で容易に形成することができる。
【００３１】
図１中ｔで示される隔壁部２４の厚さは、特に限定されないが、１０〜５００μｍであるのが好ましく、５０〜２８０μｍであるのがより好ましい。隔壁部２４の厚さが前記範囲内の値であると、液体の移動をより好適に調節することができる。また、時計用文字板１Ａを表側から見た際に、隔壁部２４をより目立ちにくいものとすることができる。その結果、時計用文字板１Ａの装飾性（美的外観）を特に優れたものとすることができる。これに対し、隔壁部２４の厚さが前記下限値未満であると、隔壁部２４を有することによる効果が十分に発揮されない可能性がある。一方、隔壁部２４の厚さが前記上限値を超えると、隔壁部２４の構成材料等によっては、時計用文字板１Ａの外観を十分に優れたものとするのが困難になる可能性がある。
【００３２】
また、図１中ｐで示される隔壁部２４間のピッチは、特に限定されないが、０．１〜１５ｍｍであるのが好ましく、０．２〜５．０ｍｍであるのがより好ましい。隔壁２４間のピッチが前記範囲内の値であると、液体の移動をより好適に調節することができる。また、時計用文字板１Ａを第１の面２６側から見た際に、隔壁部２４をより目立ちにくいものとすることができる。その結果、時計用文字板１Ａの装飾性（美的外観）を特に優れたものとすることができる。これに対し、隔壁部２４間のピッチが前記下限値未満であると、隔壁部２４の構成材料や厚さ等によっては、時計用文字板１Ａの外観を十分に優れたものとするのが困難になる可能性がある。一方、隔壁部２４間のピッチが前記上限値を超えると、隔壁部２４の高さ、厚み等によっては、液体の移動を好適に調節することが困難となる可能性がある。
【００３３】
また、図１中ｈ１で示される中空基板２の中空部２３の厚さ（高さ）［ｍｍ］と、ｈ２で示される隔壁部２４の高さ［ｍｍ］との比（ｈ２／ｈ１）は、特に限定されないが、０．１〜０．９であるのが好ましく、０．２〜０．８であるのがより好ましい。中空部２３の厚さ（高さ）と隔壁部２４の高さとの比（ｈ２／ｈ１）が前記範囲内の値であると、液体の移動をより好適に調節することができる。また、時計用文字板１Ａを第１の面２６側から見た際に、隔壁部２４をより目立ちにくいものとすることができる。その結果、時計用文字板１Ａの装飾性（美的外観）を特に優れたものとすることができる。これに対し、ｈ２で示される隔壁部２４の高さ［ｍｍ］との比（ｈ２／ｈ１）が前記下限値未満であると、隔壁部２４の高さ、隔壁部２４間の距離等によっては、液体の移動を好適に調節することが困難となる可能性がある。一方、ｈ２で示される隔壁部２４の高さ［ｍｍ］との比（ｈ２／ｈ１）が前記上限値を超えると、液体の移動が過剰に阻害されてしまい、液体の移動を好適に調節することが困難となる可能性がある。また、隔壁部２４の構成材料、厚み等によっては、時計用文字板１Ａの外観を十分に優れたものとするのが困難になる可能性がある。
また、隔壁部２４の高さはすべて同じでなくてもよく、部位によって変えてもよい。これにより、液体の移動をより好適に調節することができる。その結果、時計用文字板１Ａの装飾性（美的外観）を特に優れたものとすることができる。
【００３４】
［撥液膜］
本実施形態では、中空基板２の内面には、液体層３を構成する液体に対して撥液性を有する撥液膜２５が設けられている。これにより、中空基板２内に封入された液体により、中空基板２が着色されるのを防止することができる。その結果、時計用文字板１Ａとしての耐変色性を向上させることができ、時計用文字板１Ａの美的外観を長期にわたってさらに優れたものにすることができる。
【００３５】
撥液膜２５を構成する材料としては、例えば、フッ素、フッ素シリコン化合物、シリコーン化合物、及びそれらを側鎖に有する高分子化合物等が挙げられる。また、撥液膜２５は、例えば、特表平４−５０５８９５号公報に開示されているようなフッ素含有有機化合物、フッ素含有シランカップリング化合物を主成分とするパララックコート（Ｒ）（東京製品開発研究所製）を用いて形成されたものであってもよい。
【００３６】
撥液膜２５の形成方法は、特に限定されないが、例えば、上記のような材料の溶液を中空基板２に付与する方法（例えば、浸漬法、塗布法、スプレー法等）や、気相成膜法（例えば、真空蒸着、スパッタリング、プラズマ重合等）等が挙げられる。
撥液膜２５の厚さは、特に限定されないが、５〜３００ｎｍであるのが好ましく、１０〜２００ｎｍであるのがより好ましい。撥液膜２５の厚さが前記範囲内の値であると、撥液膜２５をより均一な厚さで好適に形成することができるとともに、着色防止の効果をより顕著に得ることができる。これにより、時計用文字板１Ａの美的外観を長期にわたって特に優れたものにすることができる。これに対し、撥液膜２５の厚さが前記下限値未満であると、撥液膜２５による効果が十分に得られない可能性がある。一方、撥液膜２５の厚さが前記上限値を超えると、撥液膜２５を均一な厚さで形成することが困難となる可能性がある。
撥液膜２５は、液体層３を構成する複数の液体のうち少なくとも１種に対して撥液性を有するものであればよい。例えば、撥液膜２５は、中空基板２（撥液膜２５を除く部位）に対する染色性の高い液体に対して撥液性を有するものであってもよい。
【００３７】
［カバー部材］
ところで、時計用文字板１Ａ（中空基板２）の外周部においては、中央部分に比べて極端な液体の移動が起きやすく、これにより、時計用文字板１Ａ（中空基板２）の外周部においては極端に色が濃くなったり薄くなったりする可能性がある。このような極端な色の偏りがあると、外観上、好ましくない影響を及ぼす可能性がある。そこで、本実施形態では、時計用文字板１Ａ（中空基板２）の外周部付近が、光不透過性の材料で構成されたカバー部材５によって被覆されている。これにより、時計用文字板１Ａ（中空基板２）の主面の視認される領域において、色の極端な偏り等を緩和することができ、時計用文字板１Ａの装飾性（美的外観）を特に優れたものとすることができる。
【００３８】
上記のような構成を有する時計用文字板１Ａ全体の光の透過率（中空基板２の一方の主面である第１の面２６側から、その反対側の主面である第２の面２７側への光の透過率）は、特に限定されないが、１０〜９５％であるのが好ましく、３０〜５０％であるのがより好ましい。光の透過率が前記範囲内の値であると、時計用文字板１Ａの美的外観（審美性）を特に優れたものとすることができる。これに対し、透過率が前記下限値未満であると、後述するような時計に適用した場合等において、太陽電池９における発電に十分な光量が得られない可能性がある。一方、光の透過率が前記上限値を超えると、液体の構成材料等によっては、時計用文字板１Ａの外観を十分に優れたものとするのが困難になる可能性がある。
【００３９】
＜第２実施形態（時計用文字板）＞
次に、本発明の時計用文字板の第２実施形態について説明する。
図３は、本発明の時計用文字板の第２実施形態を示す断面図、図４は、図３に示す時計用文字板を傾けた状態を示す断面図である。
以下、本実施形態の時計用文字板について、前述した実施形態との相違点を中心に説明し、同様の事項はその説明を省略する。
【００４０】
図３に示すように、本実施形態の時計用文字板１Ｂは、中空基板２と、液体層３とを有している。そして、本実施形態の時計用文字板１Ｂでは、中空基板２の上面板２１が凸湾曲板状である。すなわち、本実施形態の時計用文字板１Ｂは、カバー部材５を有しておらず、上面板２１の形状が異なる以外は、前述した実施形態と同様である。
中空基板２の上面板２１を凸湾曲板状（ドーム状）にすることで、中空部２３に封入された複数の液体のうち、比重の小さい液体（第２液体３２）を、時計用文字板１Ｂ（中空基板２）の主面方向の中央部付近に集めやすくすることができる。その結果、特有なパターンで各液体を配置させることができ、特に優れた外観を得ることができる。
【００４１】
また、中空基板２の上面板２１を凸湾曲板状（ドーム状）にすることで、時計用文字板１Ｂの移動（傾きの変化）に伴う液体の移動量を少なくすることができる。これにより、動的な視覚効果を保持しつつも、比較的安定した外観を有するものとすることができる。
また、図４に示すように、時計用文字板１Ｂが傾いている状態では、中央部分から外れてしまう。これを利用することで、本実施形態の時計用文字板１Ｂ（および時計用文字板１Ｂを有する時計）に水準器としての機能を持たせることもできる。
【００４２】
なお、図３、図４に示す例では、上述したような隔壁部を設けていない場合を例に挙げて説明しているが、例えば、上面板２１に上述したような隔壁部を有するものであってもよい。これにより、液体の移動をより好適に調節することができる。具体的には、例えば、図４に示すように時計用文字板１Ｂを傾けた際に、傾斜に対して比重の小さい液体の移動が極端に偏り過ぎないようにすることができる。その結果、時計用文字板１Ｂの装飾性（美的外観）を特に優れたものとすることができる。
【００４３】
＜第３実施形態（時計用文字板）＞
次に、本発明の時計用文字板の第３実施形態について説明する。
図５は、本発明の時計用文字板の第３実施形態を示す断面図、図６は、図５に示す時計用文字板を傾けた状態を示す断面図である。
以下、本実施形態の時計用文字板について、前述した実施形態との相違点を中心に説明し、同様の事項はその説明を省略する。
【００４４】
図５に示すように、本実施形態の時計用文字板１Ｃは、中空基板２と、液体層３とを有している。そして、本実施形態の時計用文字板１Ｃでは、中空基板２の上面板２１が凸湾曲板状であることに加えて、中空基板２の下面板２２が湾曲板状（凹湾曲板状）である。すなわち、本実施形態の時計用文字板１Ｂは、カバー部材５を有しておらず、下面板２２の形状が異なる以外は、前述した第２実施形態と同様である。
【００４５】
上記のように、本実施形態の時計用文字板１Ｃでは、中空基板２の上面板２１が凸湾曲板状であることに加えて、中空基板２の下面板２２が湾曲板状（凹湾曲板状）である。これにより、時計用文字板１Ｃの全面にわたって、第１の面２６から第２の面２７の距離をほぼ等距離にすることができる。これにより、時計用文字板１Ｃにおける不本意な色むら等の発生を効果的に防止することができる。
【００４６】
また、中空基板２の中空部２３に封入された複数の液体のうち、比重の小さい液体（第２液体３２）を、時計用文字板１Ｃ（中空基板２）の主面方向の中央部付近に、特に集まりやすいものとすることができる。また、中空基板２の中空部２３に封入される液体の量を少なくすることができるため、省資源の観点からも有利である。また、時計用文字板１Ｃを備えた時計において、時計用文字板１Ｃの下面（第２の面２７）側に、ムーブメント、太陽電池等の部材を収納する空間をより広く確保することができるため、時計の薄型化にも有利である。
【００４７】
なお、図５、図６に示す例では、上述したような隔壁部を設けていない場合を例に挙げて説明しているが、例えば、上面板２１に上述したような隔壁部を有するものであってもよい。これにより、液体の移動をより好適に調節することができる。具体的には、例えば、図６に示すように時計用文字板１Ｃを傾けた際に、傾斜に対して比重の小さい液体の移動が極端に偏り過ぎないようにすることができる。その結果、時計用文字板１Ｃの装飾性（美的外観）を特に優れたものとすることができる。
【００４８】
＜時計＞
次に、上述したような本発明の時計用文字板１（１Ａ、１Ｂ、１Ｃ）を備えた本発明の時計について説明する。
本発明の時計は、上述したような本発明の時計用文字板１を有するものである。上述したように、本発明の時計用文字板１は、装飾性（美的外観）に優れたものである。このため、このような時計用文字板１を備えた本発明の時計も、装飾性（美的外観）に優れたものである。また、上述したように、時計用文字板１は、光透過性（電磁波透過性）にも優れている。したがって、このような時計用文字板１を備えた本発明の時計は、ソーラー時計や電波時計としての求められる要件を十分に満足することができる。なお、本発明の時計を構成する前記時計用文字板１（本発明の時計用文字板１）以外の部品としては、公知のものを用いることができるが、以下に、本発明の時計の構成の一例について説明する。
【００４９】
図７は、本発明の時計（腕時計）の好適な実施形態を示す断面図である。
図７に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１と、太陽電池９と、ムーブメント７１とが収納されており、さらに、図示しない針（指針）等が収納されている。
【００５０】
時計１００において、時計用文字板１は、その外周部付近が、光不透過性の材料で構成された部材（カバー部材）８６によって被覆されている。これにより、時計用文字板１そのものが、上述したようなカバー部材５を有していないものであっても、上記と同様な効果が得られる。すなわち、時計用文字板１の中空基板２の主面の視認される領域において、色の極端な偏り等を緩和することができ、時計１００の装飾性（美的外観）を特に優れたものとすることができる。
ガラス板７５は、通常、透明性の高い透明ガラスやサファイア等で構成されている。これにより、本発明の時計用文字板１０の審美性を十分に発揮させることができるとともに、太陽電池９に十分な光量の光を入射させることができる。
ムーブメント７１は、太陽電池９の起電力を利用して、指針を駆動する。
【００５１】
図７中では省略しているが、ムーブメント７１内には、例えば、太陽電池９の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
また、ムーブメント７１は、図示しない電波受信用のアンテナを備えている。そして、受信した電波を用いて時刻調整等を行う機能を有している。
【００５２】
太陽電池９は、光エネルギーを電気エネルギーに変換する機能を有する。そして、太陽電池９で変換された電気エネルギーは、ムーブメントの駆動等に利用される。
太陽電池９は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００５３】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８５には、リング状のゴムパッキン（裏蓋パッキン）８４が圧縮状態で介挿されている。この構成によりシール部８５が液密に封止され、防水機能が得られる。
【００５４】
りゅうず７７の軸部７７１の途中の外周には溝７７２が形成され、この溝７７２内にはリング状のゴムパッキン（りゅうずパッキン）８３が嵌合されている。ゴムパッキン８３は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８３は軸部７７１と共に回転し、巻真パイプ７６の内周面に密着しながら周方向に摺動する。
なお、上記の説明では、時計の一例として、腕時計（携帯時計）を挙げて説明したが、本発明は、腕時計以外の携帯時計、置時計、掛け時計等の他の種類の時計にも同様に適用することができる。
【００５５】
以上、本発明の好適な実施形態について説明したが、本発明は、これらに限定されるものではない。
例えば、前述した実施形態では、時計用文字板において、中空基板は、撥液膜を有するものとして説明したが、本発明の時計用文字板は、このような構成のものに限定されず、例えば、時計用文字板は撥液膜を備えていなくてもよい。
【００５６】
また、前述した実施形態において、本発明の時計は、中空基板と、液体層とを有する時計用文字板を備えたものとして説明したが、本発明の時計は、光透過性を有する材料で構成された中空基板と、中空基板の中空部に封入され、光透過性を有するとともに、互いに溶け合わない複数の液体からなる液体層とを備えたものであればよく、中空基材および液体層を時計用文字板の構成の一部として有するものでなくてもよい。例えば、本発明の時計は、液体層が封入された中空部材を、前述したカバーガラスの代わりに有するもの等であってもよい。
【図面の簡単な説明】
【００５７】
【図１】本発明の時計用文字板の第１実施形態を示す断面図である。
【図２】図１に示す時計用文字板を傾けた状態を示す断面図である。
【図３】本発明の時計用文字板の第２実施形態を示す断面図である。
【図４】図３に示す時計用文字板を傾けた状態を示す断面図である。
【図５】本発明の時計用文字板の第３実施形態を示す断面図である。
【図６】図５に示す時計用文字板を傾けた状態を示す断面図である。
【図７】本発明の時計（携帯時計）の好適な実施形態を示す断面図である。
【符号の説明】
【００５８】
１、１Ａ、１Ｂ、１Ｃ…時計用文字板  ２…中空基板  ２１…上面板  ２２…下面板  ２３…中空部  ２４…隔壁部  ２５…撥液膜  ２６…第１の面  ２７…第２の面  ３…液体層  ３１…第１液体  ３２…第２液体  ５…カバー部材  １０…文字板（時計用文字板１）  ９…太陽電池  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８３…ゴムパッキン（りゅうずパッキン）  ８４…ゴムパッキン（裏蓋パッキン）  ８５…接合部（シール部）  ８６…部材（カバー部材）  １００…腕時計（携帯時計）
【図１】
2008122162.tif 000003
【図２】
2008122162.tif 000004
【図３】
2008122162.tif 000005
【図４】
2008122162.tif 000006
【図５】
2008122162.tif 000007
【図６】
2008122162.tif 000008
【図７】
2008122162.tif 000009